(57)【特許請求の範囲】
【請求項１】
物を掬うための掬い部と、この掬い部と一体的に設けられた把手部とからなる掬い具であって、該把手部には流通路となる中空部が形成されてなり、該中空部の先端は掬い部に向けて開口されてなり、前記中空部に流通路を開閉可能な可動弁が設けられ、該可動弁は掬い部が下方になるように掬い具を傾けたときに流通路を開放するように構成されてなることを特徴とする供給機構付き掬い具。
【請求項２】
前記把手部に、中空部の掬い部への開口部をスライド式に閉鎖可能な開閉機構が設けられてなることを特徴とする請求項１記載の供給機構付き掬い具。
【請求項３】
前記中空部に、着脱可能な容器が内填されてなることを特徴とする請求項１又は２記載の供給機構付き掬い具。
【請求項４】
前記把手部の中途部又は終端部に、ホース又は容器を中空部に連通するように着脱可能な取り付け部が形成されてなることを特徴とする請求項１乃至３記載の供給機構付き掬い具。
【請求項５】
前記中空部に、互いに独立した複数の中空部が形成されてなることを特徴とする請求項１乃至４記載の供給機構付き掬い具。
【請求項６】
請求項１乃至５のいずれかに記載の供給機構付き掬い具において、上記中空部が、掬い部の表面に液体を供給するための流通路となるものであることを特徴とする液体供給機構付き掬い具。
【請求項７】
前記掬い部表面に、掬い部に供給された液体を所要方向へと導く導水溝が形成されてなることを特徴とする請求項６記載の液体供給機構付き掬い具。
【発明の詳細な説明】
【０００１】
【発明の属する技術分野】
この発明は供給機構付き掬い具に関し、詳しくは物を掬うと同時に水等の液体を供給す
ることが可能であって、しゃもじ表面への御飯粒の付着を防止したり、スコップやシャベルを使用した園芸作業における水やりの手間を省いたりすることができる掬い具に関するものである。
【０００２】
【従来の技術】
我々が日常生活で良く使用する物を掬うための道具としては、御飯をよそおうためのしゃもじや土を掘るためのスコップやシャベル等が挙げられる。
【０００３】
従来のしゃもじは木製のものが大部分であったが、木製のしゃもじはそのまま使用すると表面に御飯粒が付き易いため、通常はこれを防ぐために使用前に表面を水で濡らしてから使用していた。
【０００４】
また、最近では使用の際に表面を水で濡らす必要が無い、フッ素加工が表面に施された合成樹脂製のしゃもじも好まれて使用されるようになってきている。
【０００５】
一方、庭に彩りを添えるために花や樹木を植えることは一般的に広く行われており、家庭において花や樹木を植える際には、手軽に使用可能なシャベルやスコップが使用されることが多い。
【０００６】
【発明が解決しようとする課題】
しかしながら、上記した従来の掬い具には以下のような課題が存在した。
【０００７】
先ず、従来の木製しゃもじは、使用の度に表面を水で濡らすのが非常に面倒であり、多人数の御飯を一度によそおう場合などには使用の最中に表面の水が乾いてしまって結果的に御飯粒が表面に付着してしまうことがあった。
【０００８】
また、フッ素加工が表面に施された合成樹脂製のしゃもじは、表面を水で濡らさずとも御飯粒の付着を防ぐことができるが、表面に傷が付くとフッ素樹脂は簡単に剥がれてしまうため、長期間にわたって御飯粒の付着を防ぐことは難しかった。また、従来のスコップやシャベルは、土を掘るだけの機能しか与えられていないため、花や樹木を植えた後に当然行わなければならない水や肥料の供給は、じょうろやホースなどを別途用意して行わなければならず面倒であった。
【０００９】
【課題を解決するための手段】
本願発明者は、上記した実情に鑑みて鋭意研究した結果、従来、物を掬うだけの機能しか有していなかったしゃもじやスコップなどの掬い具に、液体供給機構を付与することにより、上記したような様々な課題を全て解決することを見いだして本願発明を完成するに至った。具体的な課題解決手段は以下の通りである。
【００１０】
請求項１に係る発明は、物を掬うための掬い部と、この掬い部と一体的に設けられた把手部とからなる掬い具であって、該把手部には流通路となる中空部が形成されてなり、該中空部の先端は掬い部に向けて開口されてなり、前記中空部に流通路を開閉可能な可動弁が設けられ、該可動弁は掬い部が下方になるように掬い具を傾けたときに流通路を開放するように構成されてなることを特徴とする供給機構付き掬い具である。
【００１１】
請求項２に係る発明は、前記把手部に、中空部の掬い部への開口部をスライド式に閉鎖可能な開閉機構が設けられてなることを特徴とする請求項１記載の供給機構付き掬い具である。
【００１２】
請求項３に係る発明は、前記中空部に、着脱可能な容器が内填されてなることを特徴とする請求項１又は２記載の液体供給機構付き掬い具である。
【００１３】
請求項４に係る発明は、前記把手部の中途部又は終端部に、ホース又は容器を中空部に連通するように着脱可能な取り付け部が形成されてなることを特徴とする請求項１乃至３記載の供給機構付き掬い具である。
【００１４】
請求項５に係る発明は、前記中空部に、互いに独立した複数の中空部が形成されてなることを特徴とする請求項１乃至４記載の供給機構付き掬い具である。
【００１５】
請求項６に係る発明は、請求項１乃至５のいずれかに記載の供給機構付き掬い具において、上記中空部が、掬い部の表面に液体を供給するための流通路となるものであることを特徴とする液体供給機構付き掬い具である。
【００１６】
請求項７に係る発明は、前記掬い部表面に、掬い部に供給された液体を所要方向へと導く導水溝が形成されてなることを特徴とする液体供給機構付き掬い具である。
【００１７】
【発明の実施の形態】
以下、本発明に係る供給機構付き掬い具の好適な実施形態について図面に基づき説明する。
【００１８】
図１は本発明に係る液体供給機構付き掬い具の第１実施例を示す断面図、図２は本発明に係る液体供給機構付き掬い具の第１実施例を示す平面図である。
【００１９】
第１実施例に係る液体供給機構付き掬い具（以下、単に掬い具という場合がある）は、御飯を掬うためのしゃもじであり、幅広平板状に形成された御飯を掬うための掬い部（１）と、この掬い部（１）と一体的に設けられた棒状の把手部（２）とから構成されている。
【００２０】
把手部（２）には中空部（３）が形成されており、この中空部（３）は掬い部（１）の表面に供給される液体の貯蔵部の役割と、この貯蔵部から掬い部（１）の表面に液体を供給するための流通路の役割を同時に果している。
【００２１】
把手部（２）の後端近傍には給水口（４）が設けられており、この給水口（４）には着脱可能な給水栓（１７）が取り付けられている。そして、中空部（３）への液体の供給はこの給水口（４）から行われる。
【００２２】
また、把手部（２）の前端部には開口部（６）が設けられており、中空部（３）に内填された液体は、この開口部（６）から掬い部（１）表面へと供給される。
【００２３】
また、中空部（３）には流通路を開閉可能な可動弁（５）が設けられている。
【００２４】
この可動弁（５）は図１示の如く、中空部（３）の略下半分の断面を覆うように形成された固定板（５１）と、中空部（３）の略上半分の断面を覆うように取り付けられた可動板（５２）とから構成されている。
【００２５】
可動板（５２）は、固定板（５１）と上下方向に若干の重なりを有するように固定板（５１）の前方に取り付けられており、上端のみが中空部（３）の上面に固定されて、前後方向に可動とされている。
【００２６】
かかる構成の可動弁（５）によれは、掬い部（１）が下方になるように掬い具を傾けると、可動板（５２）が破線で示す位置へと動いて固定板（５１）との間に間隙が生じて流通路が開放され、中空部（３）の液体が開口部（６）から掬い部（１）表面へと流れ出る。一方、掬い部（１）が水平又は上方になるようにすると、可動板（５２）は実線で示す位置に戻り、固定板（５１）との間の間隙が閉じて流通路が閉鎖されて液体の流出が止まる。
【００２７】
また、把手部（２）の上面から開口部（６）にかけては溝（７）が形成されており、この溝（７）には前後方向にスライド可能なスライド板（８）が取り付けられている。
【００２８】
スライド板（８）の後端部には表面突起を有する押し部材（１６）が取り付けられており、この押し部材（１６）を指で前方に押すと、矢印で示す如くスライド板（７）が前下方向へと移動し、開口部（６）が閉鎖される。反対に押し部材（１６）を指で後方に引くとスライド板（７）は後ろ上方向へと戻り、開口部（６）が開放される。
【００２９】
上記操作によってスライド板（７）を前後移動させることにより、開口部（６）の開口面積を自在に変更させることができ、開口部（６）から掬い部（１）表面へと流れ出る液体の量を容易且つ自在に調節することができる。
【００３０】
掬い部（１）の表面には、格子状の導水溝（８）が形成されている。
【００３１】
この導水溝（８）は、開口部（６）から掬い部（１）表面に供給された液体を所要方向へと導く役割と、掬い部（１）表面と御飯粒との接触面積を減らして掬い部（１）表面への御飯粒のくっつきをより効果的に防止する役割を同時に果している。
【００３２】
尚、本発明において導水溝（８）の形状は図示例に何ら限定されず、例えば縞状や放射状に形成してもよい。
【００３３】
上記第１実施例に係る掬い具によれば、御飯をよそおう際にしゃもじを傾けると中空部（３）に内填された液体が開口部（６）から自然に掬い部（１）の表面に流れ出るので、中空部（３）に水を入れておくとしゃもじ表面への御飯粒の付着を効果的に防止することができる。
【００３４】
また、中空部（３）に酢や調味料を入れておくことにより、寿司飯などの混ぜ御飯を手
軽に作ることが可能となる。
【００３５】
図３は本発明に係る液体供給機構付き掬い具の第１参考例を示す平面図、図４は本発明に係る液体供給機構付き掬い具の第１参考例を示す断面図である。
【００３６】
第１参考例に係る掬い具は、土を掘るためのシャベルであり、幅広平板状に形成された土を掘るための掬い部（１）と、この掬い部（１）と一体的に設けられた棒状の把手部（２）とから構成されている。
【００３７】
把手部（２）には上面及び前方（図面左方向）が開放された中空部（３）が形成されており、この中空部（３）の上面から容器（９）を出し入れ可能とされている。そして、先端部が開口された容器（９）を中空部（３）に装填して掬い部（１）が下になるように掬い具を傾けることにより、容器（９）内の液体を掬い部（１）の表面に供給することが可能となっている。
【００３８】
従って、水が入った容器（９）を図示の如く中空部（３）に装填することにより、草木を植えると同時に水をやることが可能となる。また、植物活性剤などの液体肥料が入った容器（９）を装填することにより、草木に肥料を供給することも可能となる。
【００３９】
尚、図中（１８）は容器（９）が中空部（３）から脱落することを防ぐためのフードである。
【００４０】
この第１参考例に係る掬い具においても、掬い部（１）の表面には図示の如く導水溝（８）を形成することが好ましく、導水溝（８）の形成によって容器（９）から掬い部（１）表面に供給された水や液体肥料などの液体を草木の根元へと確実に導けるようになる。
【００４１】
尚、第１参考例に係る掬い具においては、図５に示す如く、中空部（３）の後端部も開放して後端開口部（１５）を設け、この後端開口部（１５）に取り付け部（１３）を形成することにより、容器（９）を着脱自在に取り付ける構成としてもよい。また、図６に示す如く、市販の容器（９）を後端開口部（１５）の取り付け部（１３）に取り付け可能な構成としてもよい。
【００４２】
図７は本発明に係る液体供給機構付き掬い具の第２参考例を示す一部切り欠き平面図、図８は本発明に係る液体供給機構付き掬い具の第２参考例を示す斜視図である。
【００４３】
第２参考例に係る掬い具は、土を掘るためのスコップであり、幅広平板状に形成された土を掘るための掬い部（１）と、この掬い部（１）と一体的に設けられた棒状の把手部（２）と、把手部（２）の後端に取着された柄部（１０）から構成されている。
【００４４】
第２参考例に係る掬い具では、図７に示す如く把手部（２）には互いに独立した２つの中空部（３）が形成されている。
【００４５】
この２つの中空部（３）は、共に前方に開口部（６）を有しており、中途部にはラッチ式の止水弁（１１）が設けられている。また、一方の中空部（３）の後端部近傍には後方開口部（１２）が形成されており、他方の中空部（３）は中途部から屈曲されている。屈曲端にはネジが形成された取り付け部（１３）が形成されている。
【００４６】
取り付け部（１３）には先端部にネジが形成された容器（９）が螺着されており、掬い部（１）が下になるように掬い具を傾けることにより、容器（９）内の液体を中空部（３）及び導水溝（８）を順次介して掬い部（１）の表面に供給することが可能となっている。
【００４７】
従って、容器（９）内に水や液体肥料を入れておくことにより、草木を植えると同時に水や液体肥料を供給することが可能となる。
【００４８】
また、後方開口部（１２）は種子や固体肥料などを入れるために設けられており、例えばこの後方開口部（１２）から種子を入れ、容器（９）内に水を入れておくと、種まきと同時に水をやることができる。
【００４９】
尚、この参考例においては、屈曲端に図９に示す如くホース（１４）を接続することも可能である。ホース（１４）を接続した場合でも、止水弁（１１）によって水の流通路を開閉可能であるため、必要以上の大量の水が供給されることは無い。
【００５０】
また、図示例では２つの中空部（３）を形成したが、３つ以上の互いに独立した中空部（３）を形成してもよい。
【００５１】
【発明の効果】
以上説明したように、請求項１に係る発明は、物を掬うための掬い部と、この掬い部と一体的に設けられた把手部とからなる掬い具であって、該把手部には流通路となる中空部が形成されてなり、該中空部の先端は掬い部に向けて開口されてなることを特徴とする供給機構付き掬い具であるから、物を掬うと同時に掬い部表面から水等の液体を供給することが可能であり、しゃもじ表面への御飯粒の付着を防止したり、スコップやシャベルを使用した園芸作業における水やりの手間を省いたりすることができる。
【００５２】
また、前記中空部に流通路を開閉可能な可動弁が設けられ、該可動弁は掬い部が下方になるように掬い具を傾けたときに流通路を開放するように構成されてなるから、掬い具の使用に合わせて掬い部に液体を供給することができ、極めて使い勝手に優れる。
【００５３】
請求項２に係る発明は、前記把手部に、中空部の掬い部への開口部をスライド式に閉鎖可能な開閉機構が設けられてなることを特徴とする請求項１記載の供給機構付き掬い具であるから、使用時に掬い部の表面に供給される液体の量を容易且つ自在に調節することができる。
【００５４】
請求項３に係る発明は、前記中空部に、着脱可能な容器が内填されてなることを特徴とする請求項１又は２記載の供給機構付き掬い具であるから、容器の交換によって容易に液体の補充や交換を行うことができる。
【００５５】
請求項４に係る発明は、前記把手部の中途部又は終端部に、ホース又は容器を中空部に連通するように着脱可能な取り付け部が形成されてなることを特徴とする請求項１乃至３記載の供給機構付き掬い具であるから、液体の供給源であるホースや容器を簡単に把手部に接続することができる。
【００５６】
請求項５に係る発明は、前記中空部に、互いに独立した複数の中空部が形成されてなることを特徴とする請求項１乃至４記載の供給機構付き掬い具であるから、掬い具の使用時に複数種類の物を同時に掬い部表面へと供給することができる。
【００５７】
請求項６に係る発明は、請求項１乃至５のいずれかに記載の供給機構付き掬い具において、上記中空部が、掬い部の表面に液体を供給するための流通路となるものであることを特徴とする液体供給機構付き掬い具であるから、物を掬うと同時に掬い部表面から水等の液体を供給することが可能であり、しゃもじ表面への御飯粒の付着を防止したり、スコップやシャベルを使用した園芸作業における水やりの手間を省いたりすることができる。
【００５８】
請求項７に係る発明は、前記掬い部表面に、掬い部に供給された液体を所要方向へと導く導水溝が形成されてなることを特徴とする請求項６記載の液体供給機構付き掬い具であるから、掬い部表面に供給された水を確実に供給対象へと導くことができる。
【図面の簡単な説明】
【図１】本発明に係る液体供給機構付き掬い具の第１実施例を示す断面図である。
【図２】本発明に係る液体供給機構付き掬い具の第１実施例を示す平面図である。
【図３】本発明に係る液体供給機構付き掬い具の第１参考例を示す平面図である。
【図４】本発明に係る液体供給機構付き掬い具の第１参考例を示す断面図である。
【図５】第１参考例の変更例を示す断面図である。
【図６】第１参考例の変更例を示す断面図である。
【図７】本発明に係る液体供給機構付き掬い具の第２参考例を示す一部切り欠き平面図である。
【図８】本発明に係る液体供給機構付き掬い具の第２参考例を示す斜視図である。
【図９】第２参考例に係る液体供給機構付き掬い具の使用形態の別の例を示す斜視図である。
【符号の説明】
１          掬い部
２          把手部
３          中空部
５          可動弁
６          開口部
８          導水溝
９          容器
１４        ホース
【図１】
0003623649.tif 000002
【図２】
0003623649.tif 000003
【図３】
0003623649.tif 000004
【図４】
0003623649.tif 000005
【図５】
0003623649.tif 000006
【図６】
0003623649.tif 000007
【図７】
0003623649.tif 000008
【図８】
0003623649.tif 000009
【図９】
0003623649.tif 000010